(57)【要約】      （修正有）【課題】接続された入出力装置の盗難および紛失を防止するとともに接続端子に塵埃が溜まることを簡易な構成で防止できる入出力装置の固定構造およびプロジェクターを提供する。【解決手段】プロジェクター１は、外装ケース２と、外装ケース２から露出して設けられＵＳＢデバイス２０が接続されるＵＳＢ接続端子５と、外装ケース２の背面２ｃに固定される固定部および固定部の一端側から延出する抑制部を有する抑制部材１０とを備え、抑制部材１０は、ＵＳＢデバイス２０がＵＳＢ接続端子５に接続された状態では、抑制部１２がＵＳＢデバイス２０のＵＳＢ接続端子５とは反対側の端面に対向するように配置される。【選択図】図２
2012118366.tif 000002
【特許請求の範囲】
【請求項１】
光源から射出された光束を画像情報に応じて変調し投写するプロジェクターであって、
外装ケースと、
前記外装ケースから露出して設けられ、前記プロジェクターとの間で情報を入出力する入出力装置が接続される接続端子と、
前記外装ケースの一面に固定される固定部、および前記固定部の一端側から延出する抑制部を有する抑制部材と、を備え、
前記抑制部材は、前記入出力装置が前記接続端子に接続された状態で、前記抑制部が前記入出力装置の前記接続端子側とは反対側の面に対向するように配置されることを特徴とするプロジェクター。
【請求項２】
請求項１に記載のプロジェクターであって、
前記抑制部材は、前記固定部から延出し、前記入出力装置が前記接続端子に接続された状態で前記一面との間に前記入出力装置を挟むように配置されるカバー部をさらに有することを特徴とするプロジェクター。
【請求項３】
請求項１または２に記載のプロジェクターであって、
前記抑制部材は、前記入出力装置が前記接続端子に接続されていない状態では、前記抑制部が前記接続端子を覆うように配置可能であることを特徴とするプロジェクター。
【請求項４】
請求項３に記載のプロジェクターであって、
前記抑制部材は、前記抑制部が、前記入出力装置の前記接続端子側とは反対側の面に対向する位置と前記接続端子を覆う位置とに回転可能に配置されていることを特徴とするプロジェクター。
【請求項５】
請求項１から請求項４のいずれかに記載のプロジェクターであって、
前記入出力装置はＵＳＢデバイスであることを特徴とするプロジェクター。
【発明の詳細な説明】
【技術分野】
【０００１】
本発明は、プロジェクターに関する。
【背景技術】
【０００２】
電子機器にＵＳＢ（Universal Serial Bus）デバイス等の入出力装置を接続して、電子機器との間でデータの授受を行ったり、電子機器に無線ＬＡＮ（Local Area Network）機能を付加したりすることが可能になっている。このような入出力装置を接続する接続端子を備えたプロジェクターが提案されている（例えば、特許文献１および特許文献２参照）。
【０００３】
特許文献１に記載のプロジェクターでは、外装ケース（筐体）の外周面に段差部と接続端子とが設けられており、入出力装置（ＵＳＢデバイス）は接続端子に接続された状態で段差部に収納されネジ止め固定される。このような構成により、入出力装置を接続したままの状態でも入出力装置が邪魔にならないようにするとともに、プロジェクターからの脱落防止を図っている。
【０００４】
特許文献２に記載のプロジェクターでは、外装ケースに形成された吸気口の周縁部に接続端子が設けられており、入出力装置は接続端子に接続された状態でエアフィルターとともにカバーで覆われる。このような構成により、接続端子に接続された入出力装置が外装ケースから露出しないようにして、入出力装置の保護と見栄えの向上を図っている。
【先行技術文献】
【特許文献】
【０００５】
【特許文献１】特開２００７−２００１０９号公報
【特許文献２】特開２０１０−１２２２８１号公報
【発明の概要】
【発明が解決しようとする課題】
【０００６】
しかしながら、特許文献１に記載のプロジェクターの構成では、入出力装置が接続端子に接続されていない状態では接続端子が外装ケースから露出するため、塵埃が多い環境で使用される場合には接続端子部に塵埃が溜まるおそれがある。一方、特許文献２に記載のプロジェクターの構成では、入出力装置をプロジェクターに固定する固定手段を備えていないため、入出力装置が盗難に遭うおそれがある。
【課題を解決するための手段】
【０００７】
本発明は、上述の課題の少なくとも一部を解決するためになされたものであり、以下の形態又は適用例として実現することが可能である。
【０００８】
［適用例１］本適用例に係るプロジェクターは、光源から射出された光束を画像情報に応じて変調し投写するプロジェクターであって、外装ケースと、前記外装ケースから露出して設けられ、前記プロジェクターとの間で情報を入出力する入出力装置が接続される接続端子と、前記外装ケースの一面に固定される固定部、および前記固定部の一端側から延出する抑制部を有する抑制部材と、を備え、前記抑制部材は、前記入出力装置が前記接続端子に接続された状態で、前記抑制部が前記入出力装置の前記接続端子側とは反対側の面に対向するように配置されることを特徴とする。
【０００９】
この構成によれば、入出力装置が接続端子に接続された状態では、抑制部材の固定部がプロジェクターの外装ケースに固定され、抑制部が入出力装置の接続端子とは反対側の面に対向するように配置される。このため、入出力装置を接続端子から離脱させようとすると、接続端子から離脱させる方向先端側の入出力装置の面が抑制部に突き当たるので、入出力装置の離脱が抑制される。この結果、入出力装置の盗難や紛失を簡易な構成で防止できる。
【００１０】
［適用例２］上記適用例に係るプロジェクターであって、前記抑制部材は、前記固定部から延出し、前記入出力装置が前記接続端子に接続された状態で前記一面との間に前記入出力装置を挟むように配置されるカバー部をさらに有することが好ましい。
【００１１】
この構成によれば、入出力装置が接続端子に接続された状態では、抑制部材のカバー部が外装ケースの一面との間に入出力装置を挟むように配置される。このため、入出力装置を接続端子から離脱させようとすると、接続端子から離脱させる方向先端側の入出力装置の面が抑制部に突き当たるとともに、外装ケースの一面とは反対側の入出力装置の面がカバー部に突き当たる。これにより、入出力装置の盗難や紛失をより効果的に防止できる。
【００１２】
［適用例３］上記適用例に係るプロジェクターであって、前記抑制部材は、前記入出力装置が前記接続端子に接続されていない状態では、前記抑制部が前記接続端子を覆うように配置可能であることが好ましい。
【００１３】
この構成によれば、入出力装置が接続端子に接続されていない状態では、外装ケースから露出して設けられた接続端子を抑制部材の抑制部で覆うことができる。これにより、プロジェクターの接続端子に塵埃が溜まることが抑えられる。
【００１４】
［適用例４］上記適用例に係るプロジェクターであって、前記抑制部材は、前記抑制部が、前記入出力装置の前記接続端子側とは反対側の面に対向する位置と前記接続端子を覆う位置とに回転可能に配置されていることが好ましい。
【００１５】
この構成によれば、抑制部材をプロジェクターから取り外すことなく、入出力装置を着脱するとともに、抑制部材の配置を入出力装置の装着状態と非装着状態とで切り替えることができる。
【００１６】
［適用例５］上記適用例に係るプロジェクターであって、前記入出力装置はＵＳＢデバイスであってもよい。
【００１７】
この構成によれば、プロジェクターの接続端子にＵＳＢデバイスを接続して使用する際、ＵＳＢデバイスの盗難や脱落を簡易な構成で防止できる。
【図面の簡単な説明】
【００１８】
【図１】本実施形態に係るプロジェクターの概略構成を示す模式図。
【図２】本実施形態に係るプロジェクターを示す斜視図。
【図３】本実施形態に係る抑制部材の構成および配置を説明する斜視図。
【図４】変形例に係る抑制部材の概略構成を説明する斜視図。
【発明を実施するための形態】
【００１９】
以下に、本実施の形態について図面を参照して説明する。なお、参照する各図面において、構成をわかりやすく示すため、各構成要素の寸法の比率等は適宜異ならせてある。
【００２０】
＜プロジェクターの構成＞
まず、本実施形態に係るプロジェクターの概略構成について、図１を参照して説明する。図１は、本実施形態に係るプロジェクターの概略構成を示す模式図である。本実施形態に係るプロジェクター１は、光源から射出される光束を画像情報に応じて変調してスクリーン等の投写面に拡大投写する電子機器である。
【００２１】
図１に示すように、プロジェクター１は、外装ケース２と、光源装置１００と、照明光学装置２００と、色分離光学装置３００と、リレー光学装置４００と、光変調装置５００と、投写光学装置６００とを備えている。光源装置１００、照明光学装置２００、色分離光学装置３００、リレー光学装置４００、光変調装置５００、および投写光学装置６００は外装ケース２内に収納され固定されている。
【００２２】
また、図示を省略するが、プロジェクター１は、外装ケース２内における空間に、プロジェクター１内部を冷却するための冷却装置、プロジェクター１内部の各構成部材に電力を供給する電源装置、プロジェクター１内部の各構成部材を制御する制御装置等をさらに備えている。
【００２３】
光源装置１００は、光束を射出する発光管１１０と、リフレクター１２０とを備えている。発光管１１０は、超高圧水銀ランプやメタルハライドランプ等からなる。光源装置１００は、発光管１１０から射出された光束をリフレクター１２０で反射させて射出方向を揃え、照明光学装置２００に向けて射出する。照明光軸ＯＣは、光源装置１００から被照明領域側に射出される光束の中心軸である。
【００２４】
照明光学装置２００は、第１のレンズアレイ２１０と、第２のレンズアレイ２２０と、偏光変換素子２３０と、重畳レンズ２４０とを備えている。照明光学装置２００は、光源装置１００から射出された光束を複数の部分光束に分割し、各部分光束を略１種類の偏光光に揃えて、照明対象である３つの液晶装置５２０Ｒ，５２０Ｇ，５２０Ｂの光入射面上に重畳させる。
【００２５】
色分離光学装置３００は、第１のダイクロイックミラー３１０と、第２のダイクロイックミラー３２０と、反射ミラー３３０とを備えている。色分離光学装置３００は、照明光学装置２００から射出された光束を、赤色（Ｒ）光、緑色（Ｇ）光、青色（Ｂ）光の３色の色光に分離する。
【００２６】
リレー光学装置４００は、入射側レンズ４１０と、リレーレンズ４２０と、反射ミラー４３０，４４０とを備えている。リレー光学装置４００は、色分離光学装置３００で分離されたＢ光をＢ光用の液晶装置５２０Ｂまで導く。なお、本実施形態では、リレー光学装置４００がＢ光を導く構成としているが、これに限定されず、例えば、Ｒ光を導く構成としてもよい。
【００２７】
光変調装置５００は、フィールドレンズ５１０Ｒ，５１０Ｇ，５１０Ｂと、入射側偏光板（図示省略）と、液晶装置５２０Ｒ，５２０Ｇ，５２０Ｂと、射出側偏光板（図示省略）と、クロスダイクロイックプリズム５３０とを備えている。入射側偏光板および射出側偏光板は、液晶装置５２０Ｒ，５２０Ｇ，５２０Ｂ毎に設けられている。
【００２８】
液晶装置５２０Ｒ，５２０Ｇ，５２０Ｂは、色分離光学装置３００で分離された各色光を画像情報に応じて変調する。クロスダイクロイックプリズム５３０は、４つの直角プリズムを貼り合わせた平面視略正方形状をなし、直角プリズム同士を貼り合わせた界面には、２つの誘電体多層膜が形成されている。クロスダイクロイックプリズム５３０は、液晶装置５２０Ｒ，５２０Ｇ，５２０Ｂにて変調された各色光を合成し、投写光学装置６００側に射出する。
【００２９】
投写光学装置６００は、光変調装置５００で変調され合成された光束をスクリーン等の投写面上に射出する。これにより、投写面上に画像が拡大投写される。
【００３０】
次に、本実施形態に係るプロジェクターの外装ケースの構成と、抑制部材の構成および配置について、図２および図３を参照して説明する。
【００３１】
図２は、本実施形態に係るプロジェクターを示す斜視図である。詳しくは、図２（ａ）はプロジェクター１を正面上方側から見た斜視図であり、図２（ｂ）はプロジェクター１を背面上方側から見た斜視図である。図３は、本実施形態に係る抑制部材の構成および配置を説明する斜視図である。詳しくは、図３（ａ）は入出力装置の接続装着方法を示す斜視図であり、図３（ｂ）は入出力装置が接続された状態における抑制部材の配置を示す斜視図であり、図３（ｃ）は入出力装置が接続されていない状態における抑制部材の配置を示す斜視図である。
【００３２】
＜外装ケースの構成＞
図２（ａ）および（ｂ）に示すように、プロジェクター１において、光束が射出される側の面を正面２ａと呼び、その反対側の面を一面としての背面２ｃと呼ぶ。そして、据置き姿勢での上方側の面を天面２ｂと呼び、その反対側の面を底面２ｄと呼ぶ。正面２ａおよび背面２ｃと、天面２ｂおよび底面２ｄとは互いに交差している。
【００３３】
外装ケース２は、プロジェクター１の正面２ａ、天面２ｂ、背面２ｃ、底面２ｄを構成している。外装ケース２は、例えば合成樹脂製の筐体である。なお、外装ケース２は、合成樹脂製に限定されず、その他の材料、例えば金属等により構成されていてもよい。
【００３４】
図２（ａ）に示すように、外装ケース２は、正面２ａに、投写光学装置６００から射出される光束を通過させるための光束通過用開口部を有している。また、図示を省略するが、天面２ｂには、プロジェクター１の電源オン／オフや投写される画像の画質調整等のための操作部等が設けられている。
【００３５】
図２（ｂ）に示すように、背面２ｃには、背面２ｃから正面２ａ側に窪み、背面２ｃに略平行な面を有するインターフェイス部３が設けられている。インターフェイス部３には、外部機器との間で画像情報等の信号を入力または出力するための様々な接続端子４が露出した状態で配設されている。
【００３６】
また、背面２ｃとインターフェイス部３との段差部３ａにおいて、背面２ｃと交差する面２ｅには、ＵＳＢ接続端子５が天面２ｂ側に露出した状態で設けられている。ＵＳＢ接続端子５は、入出力装置としてのＵＳＢデバイス２０を接続するための接続端子である。さらに、インターフェイス部３には、ＵＳＢデバイス２０を固定するための抑制部材１０がネジ６により固定される。
【００３７】
＜入出力装置の構成＞
ここで、入出力装置としてのＵＳＢデバイス２０について説明する。ＵＳＢデバイス２０は、電子機器に接続されて使用される電子デバイスである。ＵＳＢデバイス２０は、電子機器に接続されることで、電子機器に所定の機能、例えば、無線通信機能を付加する。本実施形態では、ＵＳＢデバイス２０がプロジェクター１に無線ＬＡＮ機能を付加する無線ＬＡＮデバイスである場合を例にとり説明する。
【００３８】
図３（ａ）に示すように、ＵＳＢデバイス２０は、ケース２１と、ＵＳＢプラグ２２とを備えている。ケース２１のＵＳＢプラグ２２とは反対側の面を端面２１ａと呼ぶ。また、プロジェクター１に装着された状態においてインターフェイス部３に対向する面を裏面２１ｃと呼び、裏面２１ｃとは反対側の面を表面２１ｂと呼び、端面２１ａ、天面２ｂ、および底面２ｄと交差する面を側面２１ｄと呼ぶ。
【００３９】
ＵＳＢプラグ２２は、ケース２１から突出するように設けられている。ＵＳＢプラグ２２は、電子機器が備えるＵＳＢ接続端子に接続するための接続端子であり、例えばタイプＡ端子である。
【００４０】
ＵＳＢデバイス２０は、図３（ａ）に矢印で示すように、ケース２１を背面２ｃ側からインターフェイス部３に寄せながら、天面２ｂ側からＵＳＢプラグ２２をＵＳＢ接続端子５の開口部に挿入してＵＳＢ接続端子５に接続することで、プロジェクター１に装着される。以下では、ＵＳＢデバイス２０がＵＳＢ接続端子５に接続されプロジェクター１に装着された状態を装着状態と呼ぶ。また、ＵＳＢデバイス２０がプロジェクター１に装着されていない状態を非装着状態と呼ぶ。
【００４１】
図３（ｂ）に示すように、ＵＳＢデバイス２０は、装着状態では、ケース２１が段差部３ａ内にほぼ収まり、表面２１ｂ側がプロジェクター１の背面２ｃから突出しないように配置される。これにより、装着状態でプロジェクター１を移動する場合等に、ＵＳＢデバイス２０が邪魔になりにくくなり、ＵＳＢデバイス２０が他の機材等に接触して離脱したり破損したりすることが避けられる。また、ＵＳＢデバイス２０がプロジェクター１から突出して装着される場合に比べて外観上の見栄えが向上する。
【００４２】
なお、インターフェイス部３の裏面２１ｃに対向する領域３ｂ（図３（ｃ）に２点鎖線で示す）には、リブ部や突起部等が設けられていることが好ましい。このようなリブ部や突起部を設けることで、ＵＳＢデバイス２０が発熱する場合に、裏面２１ｃの領域のうちインターフェイス部３に接触する部分をより小さくしてＵＳＢデバイス２０の放熱を妨げないようにしつつ、ＵＳＢデバイス２０を支持することができる。
【００４３】
＜抑制部材の構成および入出力装置の固定構造＞
次に、本実施形態に係る抑制部材１０の構成、および抑制部材１０を用いた入出力装置の固定構造を説明する。図３（ｂ），（ｃ）に示すように、抑制部材１０は、固定部１１と、固定部１１の一端側から延出する抑制部１２とを有している。
【００４４】
固定部１１は、ネジ６によって抑制部材１０をインターフェイス部３に固定するための締結部１１ａを有している。抑制部１２は、固定部１１の締結部１１ａとは反対側に位置しており、固定部１１の延在方向と交差する方向に延出している。抑制部材１０は、例えば、外装ケース２と同様の合成樹脂材料で構成されている。
【００４５】
図３（ｂ）に示す装着状態では、抑制部材１０は、ＵＳＢデバイス２０に対して固定部１１が側面２１ｄに対向するとともに抑制部１２が端面２１ａに対向するように配置されて、インターフェイス部３に固定される。したがって、抑制部１２は、ＵＳＢプラグ２２をＵＳＢ接続端子５から引き抜いてＵＳＢデバイス２０をプロジェクター１から離脱させる方向の先端側に配置されている。なお、抑制部材１０の固定部１１および抑制部１２は、ＵＳＢデバイス２０のケース２１に接触していてもよいし、接触していなくてもよい。
【００４６】
装着状態のＵＳＢデバイス２０をプロジェクター１から離脱させる際は、まず、ネジ６を外して抑制部材１０をインターフェイス部３から取り外す。そして、図３（ｂ）に矢印で示すように、ＵＳＢデバイス２０をインターフェイス部３（背面２ｃ）に沿って天面２ｂ側に持ち上げてＵＳＢプラグ２２をＵＳＢ接続端子５から引き抜くとともに、ケース２１をインターフェイス部３から背面２ｃ側へ離すようにして離脱させる。
【００４７】
抑制部材１０がインターフェイス部３に固定された状態でＵＳＢデバイス２０をプロジェクター１から離脱させようとすると、端面２１ａが抑制部１２に突き当たるので、ＵＳＢプラグ２２をＵＳＢ接続端子５から引き抜くことが困難になる。また、プロジェクター１の移動時等の振動や衝撃によりＵＳＢデバイス２０をプロジェクター１から離脱する方向に力が働いても、端面２１ａが抑制部１２に突き当たるので、ＵＳＢプラグ２２がＵＳＢ接続端子５から抜けることが抑えられる。この結果、装着状態におけるＵＳＢデバイス２０の盗難や紛失を簡易な構成で防止できる。
【００４８】
次に、図３（ｃ）に示す非装着状態では、抑制部材１０を、装着状態に対して上下を反転させた状態にして、抑制部１２がＵＳＢ接続端子５を覆うように配置して、ネジ６により抑制部材１０を固定する。上述したように、ＵＳＢ接続端子５は、天面２ｂ側を向いているため、他の接続端子４（図２（ｂ）参照）に比べて、ＵＳＢ接続端子５の開口部に塵埃が溜まり易い配置となっている。また、ＵＳＢ接続端子５と外装ケース２との隙間から外装ケース２内に塵埃が入り込むこともあり得る。
【００４９】
本実施形態では、このＵＳＢ接続端子５を抑制部１２で覆うことができるので、非装着状態において、ＵＳＢ接続端子５に塵埃が溜まることやＵＳＢ接続端子５と外装ケース２との隙間から外装ケース２内に塵埃が入り込むことが抑えられる。したがって、プロジェクター１が塵埃が多い環境で使用される場合でも、ＵＳＢ接続端子５に塵埃が溜まることによるＵＳＢプラグ２２との導通不良等を防止できる。
【００５０】
以上説明したように、本実施形態に係る抑制部材１０を備えたプロジェクター１の構成および入出力装置の固定構造によれば、簡易な構成でありながら、装着状態のＵＳＢデバイス２０の盗難および紛失を防止する効果が得られることに加えて、非装着状態においてＵＳＢ接続端子５に塵埃が溜まることを防止する効果を得ることができる。
【００５１】
以上、本発明のプロジェクターを上記の実施形態に基づいて説明したが、本発明はこれに限定されるものではなく、本発明の趣旨から逸脱しない範囲で様々な変形を加えることができる。変形例としては、例えば以下のようなものが考えられる。図４は、変形例に係る抑制部材の構成を説明する斜視図である。詳しくは、図４（ａ）は変形例１を、図４（ｂ）は変形例２を、図４（ｃ）は変形例３を、それぞれ示す斜視図である。
【００５２】
（変形例１）
上記実施形態では、抑制部材１０が固定部１１と抑制部１２とを有する構成であったが、抑制部材の構成はこれに限定されず、カバー部１３をさらに有する構成であってもよい。図４（ａ）に示すように、変形例１に係る抑制部材１０Ａは、抑制部材１０に対して、固定部１１および抑制部１２の他に、固定部１１から延出するカバー部１３をさらに有している点が異なっている。
【００５３】
カバー部１３は、固定部１１における抑制部１２が延出する位置とは異なる位置から、固定部１１の延在方向と交差する方向に延出している。抑制部材１０Ａは、装着状態では、固定部１１が側面２１ｄに対向し抑制部１２が端面２１ａに対向するとともに、カバー部１３が表面２１ｂに対向するように配置されてインターフェイス部３に固定される。したがって、抑制部材１０Ａのカバー部１３がインターフェイス部３との間にＵＳＢデバイス２０のケース２１を挟むように配置される。
【００５４】
変形例１の構成によれば、ＵＳＢデバイス２０をプロジェクター１から離脱させようとすると、端面２１ａが抑制部１２に突き当たるのでＵＳＢプラグ２２をＵＳＢ接続端子５から引き抜くことが困難になるのに加えて、表面２１ｂがカバー部１３に突き当たるのでケース２１をインターフェイス部３から背面２ｃ側へ離すことが困難になる。また、カバー部１３が表面２１ｂの一部を覆うことにより、ＵＳＢデバイス２０が引抜きできないことを視覚的に認識させる効果もある。これにより、ＵＳＢデバイス２０の盗難や紛失をより効果的に防止できる。
【００５５】
なお、カバー部１３が固定部１１から延出する位置は、特に限定されないが、ＵＳＢデバイス２０が発熱する場合、発熱する箇所と重ならない位置に配置されることが好ましい。
【００５６】
（変形例２）
上記実施形態では、装着状態と非装着状態とで抑制部材１０を一旦プロジェクター１から取り外して固定し直す構成であったが、抑制部材をプロジェクター１から取り外すことなく固定し直すことができる構成であってもよい。図４（ｂ）に示すように、変形例２に係る抑制部材１０Ｂは、抑制部材１０に対して、回転部１４をさらに有している点が異なっている。
【００５７】
回転部１４は、固定部１１における抑制部１２が延出する一端側とは反対の他端側に配置され、回転軸８ａｘを回転中心として回転可能に軸支されている。また、インターフェイス部３Ａには、回転部１４を軸支する支持部７が設けられている。回転部１４と支持部７とには、固定部１１の延在方向と略直交する方向に延在するピン８が挿通されている。回転部１４は、ピン８の中心軸である回転軸８ａｘを回転中心として、図４（ｂ）に矢印で示す方向に回転可能である。
【００５８】
抑制部材１０Ｂは、回転部１４が回転することで、装着状態における配置から上下が反転する位置まで移動する。これにより、抑制部材１０Ｂをプロジェクター１から取り外すことなく、ＵＳＢデバイス２０を着脱することができ、抑制部材１０Ｂの配置を装着状態と非装着状態とで切り替えることができる。締結部１１ａは、抑制部１２が延出する一端側寄りに配置されており、装着状態における配置と非装着状態における配置とのそれぞれにおいて、ネジ６によりインターフェイス部３Ａに固定される。
【００５９】
（変形例３）
図４（ｃ）に示すように、変形例３に係る抑制部材１０Ｃは、抑制部材１０に対して、抑制部１５が固定部１１の一端側から固定部１１と交差する方向両側に延出している点が異なっている。すなわち、抑制部材１０Ｃは、背面２ｃ側からの平面視で、略Ｔ字型の形状を有している。
【００６０】
締結部１１ａは、固定部１１における抑制部１５が延出する一端側とは反対の他端側に配置されている。抑制部材１０Ｃは、ネジ６を緩めることで、照明光軸ＯＣ（図１参照）に沿ったネジ６の中心軸６ａｘを回転中心として、図４（ｃ）に矢印で示す方向に回転可能である。
【００６１】
抑制部材１０Ｃは、装着状態における配置から、背面２ｃ側からの平面視で時計回りに略９０度回転することで、固定部１１および抑制部１５がケース２１から離れた位置に移動する。また、抑制部材１０Ｃは、装着状態における配置から略１８０度回転することで上下が反転し、抑制部１５がＵＳＢ接続端子５を覆う位置となる。これにより、抑制部材１０Ｃをプロジェクター１から取り外すことなく、ＵＳＢデバイス２０を着脱することができ、抑制部材１０Ｃの配置を装着状態と非装着状態とで切り替えることができる。抑制部材１０Ｃは、ネジ６を締め直すことによりプロジェクター１（インターフェイス部３）に再固定される。
【００６２】
（変形例４）
上記実施形態では、ＵＳＢデバイス２０のＵＳＢプラグ２２がＵＳＢ接続端子５から引き抜かれる方向がインターフェイス部３（背面２ｃ）に沿った方向であったが、ＵＳＢプラグ２２がＵＳＢ接続端子５から引き抜かれる方向が、インターフェイス部３（背面２ｃ）と交差する方向等、他の方向となる構成であってもよい（図示は省略）。このような構成であっても、抑制部材１０の抑制部１２がＵＳＢデバイス２０のＵＳＢ接続端子５とは反対側の端面２１ａに対向するように配置されることにより、ＵＳＢデバイス２０の盗難や紛失を防止できる。
【００６３】
（変形例５）
上記実施形態では、入出力装置が無線ＬＡＮ機能を付加するＵＳＢデバイス２０である場合を例にとって説明したが、入出力装置は、ＵＳＢデバイス以外の入出力デバイスであってもよい。また、入出力装置は、無線ＬＡＮデバイスに限定されず、ストレージデバイス等の他のデバイスであってもよい。
【符号の説明】
【００６４】
１…プロジェクター、２…外装ケース、２ｃ…一面としての背面、５…接続端子としてのＵＳＢ接続端子、１０，１０Ａ，１０Ｂ，１０Ｃ…抑制部材、１１…固定部、１２，１５…抑制部、１３…カバー部、２０…入出力装置としてのＵＳＢデバイス。
【図１】
2012118366.tif 000003
【図２】
2012118366.tif 000004
【図３】
2012118366.tif 000005
【図４】
2012118366.tif 000006